(57)【要約】【課題】従来のリモコンは、作業者が溶接作業時に手袋をしたままリモコン操作ができるように、送給装置に十分配置できるように、大きさが大きい。そのため、溶接用トーチと溶接遮光面を持ったままリモコン操作を行うことが困難であり、溶接条件の変更時には作業を中断しなければならず、溶接作業時間が余分にかかる。【解決手段】溶接機と、溶接用トーチと、溶接条件を変更する機能を有するリモコンと、溶接の際に目を守るための遮光具である溶接遮光面からなる溶接装置に用いられるリモコンであって、リモコンは、溶接用トーチのハンドル部よりも小さく、リモコンは、溶接用トーチおよび／または溶接遮光面に着脱可能であり、リモコンは、溶接用トーチまたは溶接遮光面に取り付けられて使用される。作業者が溶接用トーチと溶接遮光面を持ったままリモコンを操作でき、作業性が向上する。【選択図】図１
2015202498.tif 000002
【特許請求の範囲】
【請求項１】
ワイヤ送給装置を介して溶接用トーチが接続された溶接機の溶接条件を変更する機能を有するリモコンであって、
前記溶接用トーチのハンドル部よりも寸法が小さいリモコン。
【請求項２】
リモコンの最大投影面の面積は、溶接用トーチのハンドル部の最大投影面の面積よりも小さい請求項１記載のリモコン。
【請求項３】
リモコンは、溶接用トーチに着脱可能である請求項１または２記載のリモコン。
【請求項４】
リモコンは、溶接を行う際に目を守るための遮光具である溶接遮光面に対して着脱可能である請求項１から３のいずれか１項に記載のリモコン。
【請求項５】
溶接用トーチは、消耗電極式の溶接に用いられるトーチである請求項１から４のいずれか１項に記載のリモコン。
【請求項６】
リモコンは、溶接機が出力する溶接電流を調整するための電流調整部と、前記溶接機が出力する溶接電圧を調整するための電圧調整部の、２つの調整部を有する請求項１から５のいずれか１項に記載のリモコン。
【請求項７】
溶接機と、溶接用トーチと、溶接条件を変更する機能を有するリモコンと、溶接の際に目を守るための遮光具である溶接遮光面からなる溶接装置であって、
前記リモコンは、前記溶接用トーチのハンドル部よりも小さく、
前記リモコンは、前記溶接用トーチおよび／または前記溶接遮光面に着脱可能であり、
前記リモコンは、前記溶接用トーチまたは前記溶接遮光面に取り付けられて使用される溶接装置。
【請求項８】
消耗電極である溶接用ワイヤを送給するためのワイヤ送給装置を有し、溶接用トーチは前記ワイヤ送給装置を介して溶接機に接続される請求項７記載の溶接装置。
【発明の詳細な説明】
【技術分野】
【０００１】
本発明は、溶接機の溶接条件を変更する機能を有するリモコン、および溶接機と溶接用トーチとリモコンを有する溶接装置に関する。
【背景技術】
【０００２】
ＣＯ２溶接やＭＡＧ溶接といった消耗電極式のアーク溶接（以下、ＣＯ２／ＭＡＧ溶接という）において、適切な溶接を行うために頻繁に調整する項目として、溶接機が出力する出力電流や出力電圧がある。出力電流と出力電圧を調整し、適切な溶接条件にすることで、溶接結果が改善し、作業効率が向上する。
【０００３】
溶接作業者は、溶接を行う際、溶接を行う金属の厚さや溶接姿勢等に応じ、出力電流と出力電圧を調整する。なお、溶接作業者が溶接機から離れた場所で溶接を行う場合でも、出力電流や出力電圧は、溶接作業者が溶接を行っている場所で、かつ、溶接作業者の手元で調整できることが望ましい。
【０００４】
ＣＯ２／ＭＡＧ溶接で使用される溶接装置は、溶接機と、ワイヤ送給装置と、溶接用トーチと、リモコンを有している。溶接機とワイヤ送給装置とは、ケーブルで接続される。ワイヤ送給装置と溶接用トーチとは、ケーブルで接続される。溶接条件を設定するためのリモコンは、溶接作業者の作業性の観点から、ワイヤ送給装置に接続される場合が多い。
【０００５】
アナログタイプの溶接機は、一般的に、溶接機自体に、出力電流の調整や出力電圧の調整するためのボリューム（回転式可変抵抗器）を有している。デジタルタイプの溶接機は、一般的に、溶接機自体に、出力電流の調整や出力電圧の調整するためのジョグダイヤルを有している。しかし、多くの作業者は、溶接機から離れた場所で溶接を行うため、手元で溶接条件を調整できるリモコンを使用する場合が多い。
【０００６】
従来の溶接機用のリモコンは、溶接作業者が扱い易いように、ある程度大きさが大きい。また、リモコンを丈夫にするため、ボリュームを保護する構造等を有しており、そのような面からも、リモコンの大きさは大きくなっている。
【０００７】
溶接を行っている場所で作業者が手元でリモコンを使用する状況では、リモコンは、地面や溶接作業台付近に置かれることが多くなる。そのため、作業者がリモコンを踏んでしまう可能性や、リモコンに重量物を落下させてしまう可能性がある。そこで、踏みつけや重量物に耐えるため、ボリュームに対する保護部材を追加するなど、リモコン自体の強度を増すとともに、リモコン自体を十分大きくしている。
【０００８】
また、溶接作業者が手袋をしたままでもボリュームを操作して出力電流や出力電圧が調整できるように、ボリューム自体を人間の手で包み込める程度に大きな構造としている。そのため、ボリュームを有するリモコンの大きさも大きくなる。
【０００９】
近年、溶接機用のリモコンは、アナログボリューム等で構成されたアナログ型のリモコンだけでなく、デジタル表示器やジョグダイヤル等を有するデジタル型のリモコンも存在する。なお、デジタル型のリモコンも、アナログ型のリモコンと同様、強度を確保する等の理由により、十分な大きさを有している。
【００１０】
また、消耗電極である溶接用のワイヤを使用せず、そのためワイヤ送給装置を使用しないＴＩＧ溶接では、溶接機とリモコンをケーブルで接続し、溶接作業者の手元までリモコンを持ってきて使用する場合がある。なお、ＣＯ２／ＭＡＧ溶接では、リモコンをワイヤ送給装置に接続するのが一般的である。一方、ＴＩＧ溶接では、ワイヤ送給装置を使用しないので、リモコンを溶接機に接続する。従って、リモコンに接続するケーブルの長さは、ＴＩＧ溶接の場合の方が、ＣＯ２／ＭＡＧ溶接の場合よりも長い。
【００１１】
また、ＴＩＧ溶接では、溶接条件として調整するのは溶接電流のみであるため、溶接条件の変更は比較的シンプルであり、リモコンは、ボリュームを１個有する構成とすることが可能である。
【００１２】
なお、リモコンを使用しない時には、リモコンをワイヤ送給装置に取り付けた状態とする場合もあり、リモコンを着脱可能とする構成を有するワイヤ送給装置が知られている（例えば、特許文献１参照）。
【００１３】
図５は、上記したリモコンとワイヤ送給装置の例を示しており、リモコンをワイヤ送給装置１７に取り付けた状態を示している。リモコンは、リモコンケース１１と、出力電流調整用ボリューム１２と、出力電圧調整用ボリューム１３と、ガード１４と、制御ケーブル１５と、コネクタ１６を有している。ガード１４は、出力電流調整用ボリューム１２や出力電圧調整用ボリューム１３を保護するための保護部材である。リモコンケース１１は、制御ケーブル１５とコネクタ１６を介してワイヤ送給装置１７に接続されている。
【００１４】
以上のように構成されたリモコンについて、その使用方法を説明する。溶接作業者は、或る溶接条件で溶接を行う。そして、その溶接結果を踏まえ、ワイヤ送給装置に接続された図５に示すようなリモコンを用い、適切な溶接条件となるように溶接電流や溶接電圧を調整する調整作業を行う。その後、再び溶接作業を行い、必要に応じて再び調整作業を行う。このように、溶接作業者は、溶接作業と調整作業とを交互に行いながら、適切な溶接条件を決定する。そして、リモコンは、調整作業に用いられる。
【００１５】
なお、溶接作業者は、溶接作業を行う際、一方の手で溶接用トーチを持ち、他方の手でアークの光から目を守るための遮光具である溶接遮光面を持ち、溶接を行う。また、溶接作業者は、調整作業を行う際、溶接用トーチや溶接遮光面を作業台や地面等に置き、リモコンを持って調整を行う。
【先行技術文献】
【特許文献】
【００１６】
【特許文献１】実開昭５９−１４００７９号公報
【発明の概要】
【発明が解決しようとする課題】
【００１７】
従来のリモコンは、溶接作業者が手袋をしたままでもリモコンの操作を行うことができるように、また、ワイヤ送給装置に容易に配置できるように、大きさが大きい。
【００１８】
リモコンは、大きさが大きいため、ワイヤ送給装置に配置したまま操作を行い、あるいは、作業場所近辺に置いた状態で操作を行っていた。
【００１９】
従って、溶接作業者が、一方の手で溶接用トーチを持ち、他方の手で溶接遮光面を持った状態のまま、リモコンを操作することは困難であった。
【００２０】
そのため、溶接作業者は、溶接作業を行い、その後溶接作業を中断して溶接用トーチや溶接遮光面を一旦置いた状態となり、この状態でリモコンを持ってリモコンを操作して溶接条件を調整し、その後リモコンを置き、溶接用トーチと溶接遮光面を持って再度溶接作業を行うといったことを繰り返すことが多い。従って、作業が煩雑であり、適切な溶接条件を決定するまでに手間や時間が掛かり、溶接作業時間が長くなるといった課題を有していた。
【００２１】
本発明は、溶接作業時間を短縮し、扱いも簡単なリモコンおよびこのリモコンを有する溶接装置を提供することを目的とする。
【課題を解決するための手段】
【００２２】
上記課題を解決するために、本発明のリモコンは、ワイヤ送給装置を介して溶接用トーチが接続された溶接機の溶接条件を変更する機能を有するリモコンであって、前記溶接用トーチのハンドル部よりも寸法が小さい。
【００２３】
また、本発明のリモコンは、上記に加えて、リモコンの最大投影面の面積は、溶接用トーチのハンドル部の最大投影面の面積よりも小さい。
【００２４】
また、本発明のリモコンは、上記に加えて、リモコンは、溶接用トーチに着脱可能である。
【００２５】
また、本発明のリモコンは、上記に加えて、リモコンは、溶接を行う際に目を守るための遮光具である溶接遮光面に対して着脱可能である。
【００２６】
また、本発明のリモコンは、上記に加えて、溶接用トーチは、消耗電極式の溶接に用いられるトーチである。
【００２７】
また、本発明のリモコンは、上記に加えて、リモコンは、溶接機が出力する溶接電流を調整するための電流調整部と、前記溶接機が出力する溶接電圧を調整するための電圧調整部の、２つの調整部を有する。
【００２８】
また、本発明の溶接装置は、溶接機と、溶接用トーチと、溶接条件を変更する機能を有するリモコンと、溶接の際に目を守るための遮光具である溶接遮光面からなる溶接装置であって、前記リモコンは、前記溶接用トーチのハンドル部よりも小さく、前記リモコンは、前記溶接用トーチおよび／または前記溶接遮光面に着脱可能であり、前記リモコンは、前記溶接用トーチまたは前記溶接遮光面に取り付けられて使用される。
【００２９】
また、本発明の溶接装置は、上記に加えて、消耗電極である溶接用ワイヤを送給するためのワイヤ送給装置を有し、溶接用トーチは前記ワイヤ送給装置を介して溶接機に接続される。
【発明の効果】
【００３０】
以上のように、本発明によれば、リモコンを溶接用トーチのハンドル部よりも寸法が小さい形状とし、リモコンを溶接用トーチや溶接遮光面に取り付けることで、作業者が容易に溶接条件を変更することができ、溶接作業者の作業効率を向上することができる。
【図面の簡単な説明】
【００３１】
【図１】本発明の実施の形態１における溶接装置の概略構成を示す図
【図２】本発明の実施の形態１におけるリモコンの外観を示す図
【図３】本発明の実施の形態１におけるリモコンを溶接用トーチに取り付けた状態を示す図
【図４】本発明の実施の形態１におけるリモコンを溶接遮光面の取っ手に取り付けた状態を示す図
【図５】従来のリモコンをワイヤ送給装置に取り付けた状態を示す図
【発明を実施するための形態】
【００３２】
（実施の形態１）
本実施の形態について、図１から図４を用いて説明する。図１は、溶接装置の概略構成を示す図である。図２は、リモコン２０の外観を示す図である。図３は、リモコン２０を溶接用トーチ１９に取り付けた状態を示す図である。図４は、リモコン２０を溶接遮光面９の取っ手１０に取り付けた状態を示す図である。
【００３３】
図１において、溶接装置は、溶接機１８と、ワイヤ送給装置１７と、溶接用トーチ１９と、リモコン２０と、溶接遮光面９を有している。ワイヤ送給装置１７は、溶接機１８に接続されている。溶接用トーチ１９とリモコン２０は、ワイヤ送給装置１７に接続されている。
【００３４】
図２において、リモコン２０は、ケース部１と、電流調整ボリューム２と、電圧調整ボリューム３と、コネクタ４と、制御ケーブル５と、固定用穴６を有している。
【００３５】
ケース部１は、本実施の形態では、角形形状の場合の例を示す。ケース部１は、図３に示す溶接用トーチ１９のハンドル部８よりも小さい形状である。すなわち、ケース部１の最大投影面の面積は、溶接用トーチ１９のハンドル部８の最大投影面の面積よりも小さい。なお、ケース部１は、樹脂材料で構成してもよいが、堅牢性を向上するため、金属製としてもよい。
【００３６】
電流調整ボリューム２は、溶接機１８が出力する溶接電流を調整するためのものである。電圧調整ボリューム３は、溶接機１８が出力する溶接電圧を調整するためのものである。電流調整ボリューム２と電圧調整ボリューム３は、角形形状のケース部１の同じ面に配置されている。
【００３７】
コネクタ４は、リモコン２０をワイヤ送給装置１７に接続するための接続部である。制御ケーブル５は、ケース部１に設けられた電流調整ボリューム２および電圧調整ボリューム３と、コネクタ４とを電気的に接続するためのケーブルである。なお、制御ケーブル５は、ケース部１の面のうち、電流調整ボリューム２と電圧調整ボリューム３が配置された面とは別の面からケース部１に接続されている。このように、制御ケーブル５の一端は、ケース部１に接続され、制御ケーブル５の他端は、コネクタ４に接続されている。
【００３８】
固定用穴６は、リモコン２０を、溶接用トーチ１９または溶接遮光面９の取っ手１０に取り付けるための穴である。固定用穴６は、ケース部１の面の内、電流調整ボリューム２と電圧調整ボリューム３が配置されている面に接しない面、すなわち、角形形状のケース部１の裏側の面に２か所設けられている。固定用穴６は、固定部材の一例である後述する結束バンド７などを通すことができるように、細長い長方形状である。
【００３９】
以上のように構成されたリモコン２０について、その動作を説明する。
【００４０】
図３に示すように、リモコン２０は、溶接用トーチ１９に取り付けられている。具体的には、例えば、溶接用トーチ１９の側面にリモコン２０を配置し、リモコン２０のケース部１に設けられた２つの固定用穴６の各々に固定部材の一例である結束バンド７を通し、溶接用トーチ１９とリモコン２０とを同時に結束する。このようにすることで、リモコン２０を、溶接用トーチ１９に取り付けることができる。そして、結束バンド７を外すことで、リモコン２０を、溶接用トーチ１９から取り外すことができる。すなわち、リモコン２０は、溶接用トーチ１９に対して着脱可能である。
【００４１】
なお、固定部材は、結束バンド７に限らず、ゴムやテープや紐等を用いてもよい。あるいは、リモコン２０をワンタッチで溶接用トーチ１９に固定できるような形状を持った部品、例えば、溶接用トーチ１９を覆うようなバネ状の金属等を用いてもよい。
【００４２】
以上のように、リモコン２０を溶接用トーチ１９に取り付けることで、溶接作業者が溶接用トーチ１９や溶接遮光面９を持ったままでも、直接、溶接作業者が手元でリモコン２０を操作して溶接条件を変更することができる。すなわち、溶接作業者が溶接用トーチ１９と溶接遮光面９を持ったままでも、溶接用トーチ１９を持った手の指で、リモコン２０の電流調整ボリューム２と電圧調整ボリューム３の両方を操作することができる。なお、リモコン２０は、溶接用トーチ１９を持った手の指で電流調整ボリューム２と電圧調整ボリューム３を操作できる位置に、溶接用トーチ１９に対して取り付けられている。これにより、従来に比べ、リモコン２０を操作するための溶接作業の停止時間を低減し、また、溶接用トーチ１９および溶接遮光面９とリモコン２０との持ち替え作業の煩雑さを低減することができ、溶接作業の作業効率が向上する。
【００４３】
なお、本実施の形態のリモコン２０は、溶接用トーチ１９のハンドル部８よりも小さい形状としている。従って、溶接用トーチ１９に取り付けることができ、溶接用トーチ１９に取り付けた状態でも、溶接用トーチ１９の操作を妨げることもない。
【００４４】
なお、リモコン２０は小さい形状であるので、溶接用トーチ１９のハンドル部８ではなく、図４に示すように、溶接遮光面９の取っ手１０に取り付けるようにしてもよい。取り付け方法や、取り付けることによる効果は、リモコン２０を溶接用トーチ１９のハンドル部８に取り付ける場合と同様である。すなわち、溶接作業者が溶接用トーチ１９と溶接遮光面９を持ったままでも、溶接遮光面９の取っ手１０を持った手の指で、リモコン２０の電流調整ボリューム２と電圧調整ボリューム３の両方を操作することができる。なお、リモコン２０は、溶接遮光面９の取っ手１０を持った手の指で電流調整ボリューム２と電圧調整ボリューム３を操作できる位置に、溶接遮光面９の取っ手１０に対して取り付けられている。なお、溶接遮光面９は、遮光具や遮光面とも呼ばれる。
【００４５】
ここで、リモコン２０を溶接遮光面９の取っ手１０に取り付ける場合は、リモコン２０が作業者の目に近い位置となるので、作業者が視認し易く、視認性の面で優れている。一方、リモコン２０を溶接用トーチ１９に取り付ける場合は、作業者が感覚的に操作を行い易く、作業性の面で優れている。
【００４６】
また、ＣＯ２／ＭＡＧ溶接では、溶接電流と溶接電圧の両方が適切でなければ、適切な溶接を行うことができない。本実施の形態によれば、溶接電流と溶接電圧の両方が、溶接用トーチ１９と溶接遮光面９を持ったままで、かつ、一方の手の指だけで操作することができ、作業性が非常に優れている。
【００４７】
なお、溶接用トーチ１９は、ワイヤ送給装置１７に接続する例について説明したが、溶接用トーチ１９は、溶接機１８に接続するようにしてもよい。
【００４８】
以上のように、リモコン２０は、溶接用トーチ１９のハンドル部８よりも小さい形状であり、溶接用トーチ１９や溶接遮光面９への取り付けや取り外しが可能である。従って、リモコン２０が故障した場合でも、リモコン２０を容易に取り替えることができ、メンテナンス性に優れている。特に、リモコン２０の機能を溶接用トーチ１９の内部に備えた構成とする場合と比べ、メンテナンス性に優れている。
【００４９】
また、リモコン２０は、溶接用トーチ１９のハンドル部８よりも小さい形状である。従って、溶接用トーチ１９や溶接遮光面９だけでなく、溶接作業者の近傍にある細い柱や溶接作業者自身のポケット等にも取り付けることができる。そのため、従来の大きなリモコンとは異なり、リモコン２０の配置場所の自由度やリモコン２０の持ち運びの自由度が向上する。そのため、従来のリモコンを使用する場合と比べ、より作業性を向上することができる。
【産業上の利用可能性】
【００５０】
本発明によれば、リモコンを溶接用トーチのハンドル部よりも寸法が小さい形状とし、リモコンを溶接用トーチや溶接遮光面に取り付けることで、作業者が容易に溶接条件を変更することができ、溶接作業者の作業効率を向上することができ、溶接機の溶接条件を設定するリモコンおよびこのリモコンを有する溶接装置として産業上有用である。
【符号の説明】
【００５１】
１  ケース部
２  電流調整ボリューム
３  電圧調整ボリューム
４  コネクタ
５  制御ケーブル
６  固定用穴
７  結束バンド
８  ハンドル部
９  溶接遮光面
１０  取っ手
１１  リモコンケース
１２  出力電流調整用ボリューム
１３  出力電圧調整用ボリューム
１４  ガード
１５  制御ケーブル
１６  コネクタ
１７  ワイヤ送給装置
１８  溶接機
１９  溶接用トーチ
２０  リモコン
【図１】
2015202498.tif 000003
【図２】
2015202498.tif 000004
【図３】
2015202498.tif 000005
【図４】
2015202498.tif 000006
【図５】
2015202498.tif 000007